(57)【特許請求の範囲】
【請求項１】
所定のカード形状の第１のプラスチックフィルムと第２のプラスチックフィルムとを擬似接着部で擬似接着し、前記第１のプラスチックフィルムに筆記可能な自署領域を有するカード表面シートを第１の粘着層を介して積層し、前記第２のプラスチックフィルムを第２の粘着層を介して台紙の上面の所定の箇所に積層した隠蔽機能を付加したカード付き積層体であって、
前記カード表面シートと前記第１の粘着層との間の前記自署領域に対応する領域にセパレータシートを介在させるとともに、
前記自署領域の１辺に対応する位置に前記セパレータシートから前記第１の粘着層に至る第１のハーフカットを入れ、前記自署領域を囲む他辺に対応する位置に前記セパレータシートから前記擬似接着部に至る第２のハーフカットを入れ、さらに前記自署領域の一部を分割する位置に前記セパレータシートから前記第１の粘着層に至る第３のハーフカットを入れた
ことを特徴とする隠蔽機能を付加したカード付き積層体。
【請求項２】
前記セパレータシートは、
前記第１のプラスチックフィルムに前記カード表面シートを積層するに際して、前記第１の粘着層の全面に形成されたセパレータシートの一部を前記第１のハーフカットおよび前記第２のハーフカットを用いて残すことにより形成されることを特徴とする請求項１に記載の隠蔽機能を付加したカード付き積層体。
【請求項３】
前記擬似接着部で前記第２のプラスチックフィルムから前記第１のプラスチックフィルムを含むカード部を分離した後、
前記第２のハーフカットを用いて前記カード表面シートの前記自署領域を露出させて、該自署領域に自署を行い、
その後、前記第３のハーフカットを用いて前記セパレータシートの一部を前記第１の粘着層から剥がして、前記カード部の前記第１のプラスチックフィルムの対応する部分を前記カード表面シートに前記第１の粘着層を介して接着させることを特徴とする請求項１または２に記載の隠蔽機能を付加したカード付き積層体。
【請求項４】
前記セパレータシートの少なくとも前記自署領域に対応する部分に、ランダムな形状の配列、所定形状の繰り返し配列の少なくとも１つを含むカモフラージュ印刷がされていることを特徴とする請求項１乃至３のいずれか１項に記載の隠蔽機能を付加したカード付き積層体。
【請求項５】
所定のカード形状より大きい第１のプラスチックフィルムと第２のプラスチックフィルムとを擬似接着部で擬似接着し、前記第１のプラスチックフィルムを粘着層を介して筆記可能な自署領域を有する台紙の裏面の所定の箇所に積層した隠蔽機能を付加したカード付き積層体であって、
前記台紙と前記粘着層との間の前記自署領域に対応する領域にセパレータシートを介在させるとともに、
前記自署領域の１辺に対応する位置に前記セパレータシートから前記粘着層に至る第１のハーフカットを入れ、前記自署領域を囲む他辺に対応する位置に前記セパレータシートから前記擬似接着部に至る第２のハーフカットを入れ、前記自署領域の一部を分割する位置に前記セパレータシートから前記粘着層に至る第３のハーフカットを入れ、さらにカード部を分離するための前記台紙から前記擬似接着部に至る第４のハーフカットを入れた
ことを特徴とする隠蔽機能を付加したカード付き積層体。
【請求項６】
前記セパレータシートは、
前記第１のプラスチックフィルムを前記台紙に積層するに際して、前記粘着層の全面に形成されたセパレータシートの一部を前記第１のハーフカットおよび前記第２のハーフカットを用いて残すことにより形成されることを特徴とする請求項５に記載の隠蔽機能を付加したカード付き積層体。
【請求項７】
前記第４のハーフカットは、
一部がミシン目で構成されていることを特徴とする請求項５または６に記載の隠蔽機能を付加したカード付き積層体。
【請求項８】
前記第４のハーフカットを用いて前記擬似接着部で前記第２のプラスチックフィルムから前記第１のプラスチックフィルムを含むカード部を分離した後、
前記第２のハーフカットを用いて前記台紙の前記自署領域を露出させて、該自署領域に自署を行い、
その後、前記第３のハーフカットを用いて前記セパレータシートの一部を前記粘着層から剥がして、前記カード部の前記第１のプラスチックフィルムを前記粘着層を介して前記台紙に接着させることを特徴とする請求項５乃至７のいずれか１項に記載の隠蔽機能を付加したカード付き積層体。
【請求項９】
前記セパレータシートの少なくとも前記自署領域に対応する部分に、ランダムな形状の配列、所定形状の繰り返し配列の少なくとも１つを含むカモフラージュ印刷がされていることを特徴とする請求項５乃至８のいずれか１項に記載の隠蔽機能を付加したカード付き積層体。
【発明の詳細な説明】
【技術分野】
【０００１】
本発明は、隠蔽機能を付加したカード付き積層体に関し、特に、カードに個人情報の自署ができ、かつ自署された個人情報を隠蔽し、また、改ざんができないようにした隠蔽機能を付加したカード付き積層体に関する。
【背景技術】
【０００２】
会員証や健康保険証などのカードが分離可能に備え付けられているカード付き積層体としては、特許文献１、特許文献２、特許文献３に開示されたものが知られている。
【０００３】
しかし、特許文献１に開示されたカードにおいては、臓器提供の可否などの個人情報を自署する機能を有さない。
【０００４】
また、特許文献２には、内側剥離紙２２ａをカード用紙３から剥がして第３のプラスチックフィルム２３と共にめくり、これにより、カード用紙３の裏面に設けられた自署欄８を露出させて、該自署欄８に氏名又は住所などカードが要求する自署による個人情報を個別裏面情報１２として表記し、その後、側剥離紙２２ａを接着剤２４の塗布面から剥がし、第３のプラスチックフィルム２３を元の位置に戻し、当該第３のプラスチックフィルム２３をカード用紙３の裏面に剥離不可に接着し、自署欄８を被覆してラミネート加工する構成が開示されている。
【０００５】
また、特許文献３には、裏面に住所や氏名等を筆記する際に、非接着領域４０のセパレータシート１５と粘着剤層１２と透明フィルム１３とを捲って第１の基材１１の裏面側一部を露出させ、その露出した部分を筆記可能部１１ｂとして住所や氏名等を筆記し、その後、セパレータシート１５を粘着剤層１２から剥離し、露出した粘着剤層１２を第１の基材１１に貼着して保護する構成が開示されている。
【０００６】
しかし、特許文献２または特許文献３の構成においては、自署した個人情報を隠蔽する機能を有さないので、個人情報が見えてしまうという問題がある。
【先行技術文献】
【特許文献】
【０００７】
【特許文献１】特表平８−５１１２１５号公報
【０００８】
【特許文献２】特開２００３−１８２２７０号公報
【０００９】
【特許文献３】特開２００７−２１８６８号公報
【発明の概要】
【発明が解決しようとする課題】
【００１０】
そこで、本発明はこのような問題を解決するためになされたものであり、その目的とするところは、個人情報の自署ができ、かつ自署された個人情報を隠蔽し、また、改ざんができないようにした隠蔽機能を付加したカード付き積層体を提供することにある。
【課題を解決するための手段】
【００１１】
上記の目的を達成するため、本発明は、所定のカード形状の第１のプラスチックフィルムと第２のプラスチックフィルムとを擬似接着部で擬似接着し、前記第１のプラスチックフィルムに筆記可能な自署領域を有するカード表面シートを第１の粘着層を介して積層し、前記第２のプラスチックフィルムを第２の粘着層を介して台紙の上面の所定の箇所に積層した隠蔽機能を付加したカード付き積層体であって、前記カード表面シートと前記第１の粘着層との間の前記自署領域に対応する領域にセパレータシートを介在させるとともに、前記自署領域の１辺に対応する位置に前記セパレータシートから前記第１の粘着層に至る第１のハーフカットを入れ、前記自署領域を囲む他辺に対応する位置に前記セパレータシートから前記擬似接着部に至る第２のハーフカットを入れ、さらに前記自署領域の一部を分割する位置に前記セパレータシートから前記第１の粘着層に至る第３のハーフカットを入れたことを特徴とする。
【００１２】
ここで、前記セパレータシートは、前記第１のプラスチックフィルムに前記カード表面シートを積層するに際して、前記第１の粘着層の全面に形成されたセパレータシートの一部を前記第１のハーフカットおよび前記第２のハーフカットを用いて残すことにより形成することができる。
【００１３】
また、前記擬似接着部で前記第２のプラスチックフィルムから前記第１のプラスチックフィルムを含むカード部を分離した後、前記第２のハーフカットを用いて前記カード表面シートの前記自署領域を露出させて、該自署領域に自署を行い、その後、前記第３のハーフカットを用いて前記セパレータシートの一部を前記第１の粘着層から剥がして、前記カード部の前記第１のプラスチックフィルムの対応する部分を前記カード表面シートに前記第１の粘着層を介して接着させることができる。
【００１４】
また、前記セパレータシートの少なくとも前記自署領域に対応する部分に、ランダムな形状の配列、所定形状の繰り返し配列の少なくとも１つを含むカモフラージュ印刷がされているように構成することができる。
【００１５】
また、本発明は、所定のカード形状より大きい第１のプラスチックフィルムと第２のプラスチックフィルムとを擬似接着部で擬似接着し、前記第１のプラスチックフィルムを粘着層を介して筆記可能な自署領域を有する台紙の裏面の所定の箇所に積層した隠蔽機能を付加したカード付き積層体であって、前記台紙と前記粘着層との間の前記自署領域に対応する領域にセパレータシートを介在させるとともに、前記自署領域の１辺に対応する位置に前記セパレータシートから前記粘着層に至る第１のハーフカットを入れ、前記自署領域を囲む他辺に対応する位置に前記セパレータシートから前記擬似接着部に至る第２のハーフカットを入れ、前記自署領域の一部を分割する位置に前記セパレータシートから前記粘着層に至る第３のハーフカットを入れ、さらにカード部を分離するための前記台紙から前記擬似接着部に至る第４のハーフカットを入れたことを特徴とする。
【００１６】
ここで、前記セパレータシートは、前記第１のプラスチックフィルムを前記台紙に積層するに際して、前記粘着層の全面に形成されたセパレータシートの一部を前記第１のハーフカットおよび前記第２のハーフカットを用いて残すことにより形成することができる。
【００１７】
また、前記第４のハーフカットは、一部がミシン目で構成されようにすることができる。
【００１８】
また、前記第４のハーフカットを用いて前記擬似接着部で前記第２のプラスチックフィルムから前記第１のプラスチックフィルムを含むカード部を分離した後、前記第２のハーフカットを用いて前記台紙の前記自署領域を露出させて、該自署領域に自署を行い、その後、前記第３のハーフカットを用いて前記セパレータシートの一部を前記粘着層から剥がして、前記カード部の前記第１のプラスチックフィルムを前記粘着層を介して前記台紙に接着させることができる。
【００１９】
また、前記セパレータシートの少なくとも前記自署領域に対応する部分に、ランダムな形状の配列、所定形状の繰り返し配列の少なくとも１つを含むカモフラージュ印刷がされているように構成することができる。
【発明の効果】
【００２０】
本発明に係る隠蔽機能を付加したカード付き積層体によれば、以下のような効果を奏する。  
１）前記カード表面シートと前記第１の粘着層との間の前記自署領域に対応する領域にセパレータシートを介在させた構成により、前記カード表面シートの自署領域を上記セパレータシートにより隠蔽することができるので、自署した臓器提供の可否等の個人情報が第３者に見られることを確実に防止することができる。
【００２１】
２）前記台紙と前記粘着層との間の前記自署領域に対応する領域にセパレータシートを介在させた構成により、前記台紙の自署領域を上記セパレータシートにより隠蔽することができるので、自署した臓器提供の可否等の個人情報が第３者に見られること確実に防止することができる。
【００２２】
３）前記セパレータシートは、前記第１のプラスチックフィルムに前記カード表面シートを積層するに際して、前記第１の粘着層の全面に形成されたセパレータシートの一部を前記第１のハーフカットおよび前記第２のハーフカットを用いて残すことにより形成されるように構成したので、自署領域の隠蔽が容易になり、また、別途隠蔽ラベルを貼付する作業も不要になる。
【００２３】
４）前記セパレータシートは、前記第１のプラスチックフィルムを前記台紙に積層するに際して、前記粘着層の全面に形成されたセパレータシートの一部を前記第１のハーフカットおよび前記第２のハーフカットを用いて残すことにより形成されるように構成したので、自署領域の隠蔽が容易になり、また、別途隠蔽ラベルを貼付する作業も不要になる。
【図面の簡単な説明】
【００２４】
【図１】図１は、本発明に係る隠蔽機能を付加したカード付き積層体の実施例１を示すもので、図１（Ａ）は、その平面図、図１（Ｂ）は、そのＡ−Ａ断面図である。
【図２】図２は、図１に示した実施例１の隠蔽機能を付加したカード付き積層体の製造過程を説明する図である。
【図３】図３は、図１に示した隠蔽機能を付加したカード付き積層体から分離したカードの自署領域の隠蔽を説明する図である。
【図４】図４は、本発明に係る隠蔽機能を付加したカード付き積層体の実施例２を示すもので、図４（Ａ）は、その平面図、図４（Ｂ）は、そのＣ−Ｃ断面図である。
【図５】図５は、図４に示した実施例２の隠蔽機能を付加したカード付き積層体の製造過程を説明する図である。
【図６】図６は、図４に示した隠蔽機能を付加したカード付き積層体から分離したカードの自署領域の隠蔽を説明する図である。
【発明を実施するための形態】
【００２５】
以下、本発明を実施するための実施例について、願書に添付した図面を参照しながら詳細に説明する。
【実施例１】
【００２６】
図１に本発明に係る隠蔽機能を付加したカード付き積層体の実施例１を示す。図１において、図１（Ａ）は、実施例１の隠蔽機能を付加したカード付き積層体１００の平面図を示し、図１（Ｂ）は、そのＡ−Ａ断面図を示している。
【００２７】
図１に示すように、この実施例１の隠蔽機能を付加したカード付き積層体１００は、台紙１０の所定領域上にカード形成用積層シート２０を積層して構成される。
【００２８】
カード形成用積層シート２０は、上面からカード表面シート２１、第１のセパレータシート２２の部分２２ａ，２２ｂ、第１の粘着層２３、第１のプラスチックフィルム２４、第２のプラスチックフィルム２６、第２の粘着層２７が積層された積層体からなり、第１のプラスチックフィルム２４と第２のプラスチックフィルム２６との間は、擬似接着部２５で加熱溶融することにより直接擬似接着されている。
【００２９】
ここで、台紙１０は、例えば、上質紙（上質１１０Ｋ）を用いることができる。また、第１のプラスチックフィルム２４は、例えば、厚さ２５μｍのポリエチレンテレフタレートシート（ＰＥＴ２５μｍ）等を用いることができ、また、第２のプラスチックフィルム２６は、例えば、ポリエチレンシート（ＰＥ）等を用いることができる。
【００３０】
また、カード表面シート２１は、自署が可能な材質で構成され、例えば、厚さ１８８μｍの発泡ポリエステルフィルム（クリスパー１８８μｍ）、上質紙等を用いることができる。
【００３１】
また、第１の粘着層２３、第２の粘着層２７は、例えば、エマルジョン型アクリル系粘着剤層から構成することができ、第１のセパレータシート２２は、例えば、キャストコート紙、アート紙、コート紙、上質紙、クラフト紙、グラシン紙等の紙の表面に、目止め層を形成した上で、シリコーン系等の剥離剤を塗布したセパレータシートを用いることができる。
【００３２】
なお、擬似接着部２５は、例えば、ポリエチレン、ポリプロピレン、ポリブテン等のポリオレフィンや、ポリ塩化ビニル、ポリ塩化ビニリデン、ポリエステルなどの軟質熱可塑性樹脂層から形成することもできる。
【００３３】
また、カード形成用積層シート２０の中の、後に詳述する自署領域３０の１辺３０ａに対応する位置には、第１のセパレータシート２２から第１の粘着層２３に至る第１のハーフカット４１が入れられ、自署領域３０の上記１辺３０ａを除く他の３辺３０ｂに対応する位置には、第１のセパレータシート２２から擬似接着部２５に至る第２のハーフカット４２が入れられ、自署領域３０の自署に使用しない部分を分割する分割線３０ｃに対応する位置には、第１のセパレータシート２２から第１の粘着層２３に至る第３のハーフカット４３が入れられる。
【００３４】
上記構成の隠蔽機能を付加したカード付き積層体１００は、カード表面シート２１の上面に、会員証や健康保険証などのカード表面情報が印刷され、この隠蔽機能を付加したカード付き積層体１００が郵送される場合等には、台紙１０のカード形成用積層シート２０が積層される領域以外の所定の領域１０ａに宛先情報等が印刷される。
【００３５】
図２は、図１に示した実施例１の隠蔽機能を付加したカード付き積層体の製造過程を説明する図である。
【００３６】
図２（Ａ）に平面図、図２（Ｂ）にそのＢ−Ｂ断面図で示すカード形成用積層シート２０は、その上面から第１のセパレータシート２２、第１の粘着層２３、第１のプラスチックフィルム２４、第２のプラスチックフィルム２６、第２の粘着層２７、第２のセパレータシート２８が積層され、第１のプラスチックフィルム２４と第２のプラスチックフィルム２６との間は、擬似接着部２５で直接擬似接着されている。
【００３７】
また、カード形成用積層シート２０の中の自署領域３０の１辺３０ａに対応する位置には、第１のセパレータシート２２から第１の粘着層２３に至る第１のハーフカット４１が入れられ、自署領域３０の上記１辺３０ａを除く他の３辺３０ｂに対応する位置には、第１のセパレータシート２２から擬似接着部２５に至る第２のハーフカット４２が入れられ、自署領域３０の自署に使用しない部分を分割する分割線３０ｃに対応する位置には、第１のセパレータシート２２から第１の粘着層２３に至る第３のハーフカット４３が入れられる。
【００３８】
そして、図２（Ｃ）に示すように、カード形成用積層シート２０の第１のセパレータシート２２から、第１のセパレータシート２２の部分２２ａ，２２ｂを除く他の部分２２ｃを剥ぎ取り、その上にカード表面シート２１を積層する。ここで、カード表面シート２１は、第１の粘着層２３により第１のプラスチックフィルム２４に接着される。ただし、カード表面シート２１の下面と第１のセパレータシート２２の部分２２ａ，２２ｂの上面との間は、接着されていない浮いた状態となっている。
【００３９】
次に、図２（Ｄ）に示すように、このカード形成用積層シート２０の最下面の第２のセパレータシート２８を剥ぎ取って、このカード形成用積層シート２０を台紙１０の所定の位置に積層する。この場合、このカード形成用積層シート２０は、第２の粘着層２７により台紙１０に接着される。なお、第２のセパレータシート２８は、第１のセパレータシート２２と同様に、例えば、キャストコート紙、アート紙、コート紙、上質紙、クラフト紙、グラシン紙等の紙の表面に、目止め層を形成した上で、シリコーン系等の剥離剤を塗布したセパレータシートを用いることができる。
【００４０】
図３は、図１に示した隠蔽機能を付加したカード付き積層体から分離したカードの自署領域の隠蔽を説明する図である。
【００４１】
図１に示した隠蔽機能を付加したカード付き積層体１００からカードを取り出す場合は、同図に示す擬似接着部２５でカード部２０ａをカード形成用積層シート２０から切り離し、図３（Ａ）に示すようにして取り出す。
【００４２】
ここで、取り出したカード部２０ａのカード表面シート２１の下面と第１のセパレータシート２２の部分２２ａ，２２ｂの上面との間は、上述したように、接着されていない浮いた状態となっているので、図３（Ｂ）に示すように、第２のハーフカット４２を利用して、第１のセパレータシート２２の部分２２ａ，２２ｂ、第１の粘着層２３、第１のプラスチックフィルム２４の対応部分を矢印Ｘ方向に開くことができる。
【００４３】
この状態で、カード表面シート２１の裏面の自署領域３０は露出されるので、この露出したカード表面シート２１の裏面の自署領域３０に隠蔽したい臓器提供の可否等の個人情報５０を、図３（Ｃ）に示すように自署する。
【００４４】
次に、図３（Ｃ）に示すように、第１のセパレータシート２２の部分２２ａを剥いで第１の粘着層２３を露出させ、第１のセパレータシート２２の部分２２ｂ、第１の粘着層２３、第１のプラスチックフィルム２４の対応部分を矢印Ｙ方向に閉じる。
【００４５】
ここで、図３（Ｄ）に示すように、第１のプラスチックフィルム２４は、第１のセパレータシート２２の部分２２ａに対応する第１の粘着層２３の部分でカード表面シート２１に接着される。
【００４６】
これにより、カード表面シート２１の裏面の自署領域３０に自署された個人情報５０の改ざんはできなくなり、また、カード表面シート２１の裏面の自署領域３０に自署された個人情報５０は、第１のセパレータシート２２の部分２２ｂにより隠蔽されるので、この個人情報５０が第３者に見られることを確実に防止することができる。
【００４７】
なお、この状態で、上記個人情報５０が第３者に見られるのを、さらに確実に防止するために、第１のセパレータシート２２の少なくとも上記自署領域３０に対応する部分にランダムな形状の配列、所定形状の繰り返し配列の少なくとも１つを含むカモフラージュ印刷を予め施すように構成してもよい。
【実施例２】
【００４８】
図４に本発明に係る隠蔽機能を付加したカード付き積層体の実施例２を示す。図４において、図４（Ａ）は、実施例２の隠蔽機能を付加したカード付き積層体２００の平面図を示し、図１（Ｂ）は、そのＣ−Ｃ断面図を示している。なお、図４において、図１乃至３に示した隠蔽機能を付加したカード付き積層体１００と同一の機能を果たす部分には説明の便宜上図１乃至３で用いた符号と同一の符号を用いる。
【００４９】
図４に示すように、この実施例２の隠蔽機能を付加したカード付き積層体２００は、台紙１０の所定領域の下面にカード形成用積層シート７０を積層して構成される。
【００５０】
カード形成用積層シート７０は、上面から、セパレータシート７２の部分７２ａ，７２ｂ、粘着層７３、第１のプラスチックフィルム７４、第２のプラスチックフィルム７６、上質紙７７が積層された積層体からなり、第１のプラスチックフィルム７４と第２のプラスチックフィルム７６との間は、擬似接着部７５で加熱溶融することにより直接擬似接着されている。
【００５１】
ここで、台紙１０は、例えば、実施例１と同様に、上質紙（上質１１０Ｋ）を用いることができ、第１のプラスチックフィルム７４は、実施例１と同様に、例えば、厚さ２５μｍのポリエチレンテレフタレートシート（ＰＥＴ２５μｍ）等を用いることができ、第２のプラスチックフィルム７６は、実施例１と同様に、例えば、ポリエチレンシート（ＰＥ）等を用いることができ、上質紙７７は、例えば、上質紙（上質４５Ｋ）等を用いることができる。
【００５２】
また、粘着層７３は、例えば、実施例１で用いた第１の粘着層２３、２７と同様の粘着層を用いることができる。また、擬似接着部７５は、実施例１と同様に軟質熱可塑性樹脂層から形成することもでき、セパレータシート７２は、例えば、キャストコート紙、アート紙、コート紙、上質紙、クラフト紙、グラシン紙等の紙の表面に、目止め層を形成した上で、シリコーン系等の剥離剤を塗布したセパレータシートを用いることができる。
【００５３】
また、カード形成用積層シート７０の中の、後に詳述する自署領域３０の１辺３０ａに対応する位置には、セパレータシート７２から粘着層７３に至る第１のハーフカット８１が入れられ、自署領域３０の上記１辺３０ａを除く他の３辺３０ｂに対応する位置には、セパレータシート７２から擬似接着部７５に至る第２のハーフカット８２が入れられ、自署領域３０の自署に使用しない部分を分割する分割線３０ｃに対応する位置には、セパレータシート７２から粘着層７３に至る第３のハーフカット８３が入れられる。
【００５４】
また、台紙１０の上面のカードに対応する領域分６０の位置に、台紙１０から擬似接着部７５に至る第４のハーフカット９０が入れられる。この第４のハーフカット９０は、一部がミシン目で構成され、またその４隅には、後に、カードを取り出すことを容易にするためのひげ９０ａが形成される。
【００５５】
上記構成の隠蔽機能を付加したカード付き積層体２００は、台紙１０の上面のカードに対応する領域分６０に、会員証や健康保険証などのカード表面情報が印刷され、この隠蔽機能を付加したカード付き積層体２００が郵送される場合等には、台紙１０の上面のカードに対応する領域分６０以外の所定の領域１０ａに宛先情報等が印刷される。
【００５６】
図５は、図４に示した実施例２の隠蔽機能を付加したカード付き積層体の製造過程を説明する図である。
【００５７】
図５（Ａ）に平面図、図５（Ｂ）にそのＤ−Ｄ断面図で示すカード形成用積層シート７０は、図４（Ａ）に示したカードに対応する領域分６０より若干大きく形成される。
【００５８】
カード形成用積層シート７０は、その上面からセパレータシート７２、粘着層７３、第１のプラスチックフィルム７４、第２のプラスチックフィルム７６、上質紙７７が積層されており、第１のプラスチックフィルム７４と第２のプラスチックフィルム７６との間は擬似接着部７５で直接擬似接着されている。また、第２のプラスチックフィルム７６と上質紙７７とは接着されていて、裏面シートを形成している。
【００５９】
また、カード形成用積層シート７０の中の自署領域３０の１辺３０ａに対応する位置には、セパレータシート７２から粘着層７３に至る第１のハーフカット８１が入れられ、自署領域３０の上記１辺３０ａを除く他の３辺３０ｂに対応する位置には、セパレータシート７２から擬似接着部７５に至る第２のハーフカット８２が入れられ、自署領域３０の自署に使用しない部分を分割する分割線３０ｃに対応する位置には、セパレータシート７２から粘着層７３に至る第３のハーフカット８３が入れられる。
【００６０】
そして、図５（Ｃ）に示すように、カード形成用積層シート７０のセパレータシート７２からセパレータシート７２の部分７２ａ，７２ｂを除く他の部分７２ｃを剥ぎ取り、このカード形成用積層シート７０を、図５（Ｄ）に示すように、台紙１０の下面の所定の位置に積層する。この場合、このカード形成用積層シート７０は、粘着層７３により台紙１０に接着される。
【００６１】
ここで、台紙１０の下面とセパレータシート７２の部分７２ａ，７２ｂの上面との間は、接着されていない浮いた状態となっている。
【００６２】
次に、図５（Ｄ）に示すように、台紙１０の上面のカードに対応する領域分６０の位置に、台紙１０から擬似接着部７５に至る第４のハーフカット９０を入れる。
【００６３】
図６は、図４に示した隠蔽機能を付加したカード付き積層体から分離したカードの自署領域の隠蔽を説明する図である。
【００６４】
図４に示した隠蔽機能を付加したカード付き積層体２００からカードを取り出す場合は、図６（Ａ）に示すように、第４のハーフカット９０を用いて、擬似接着部７５でカード部７０ａをカード形成用積層シート７０から切り離して取り出す。ここで、裏面シートを形成する第２のプラスチックフィルム７６と上質紙７７は、擬似接着部７５で隠蔽機能を付加したカード付き積層体２００に接着された状態となっているので、ここでのゴミの発生はない。
【００６５】
また、取り出したカード部７０ａの台紙１０の下面とセパレータシート７２の部分７２ａ，７２ｂの上面との間は、上述したように、接着されていない浮いた状態となっているので、図６（Ｂ）に示すように、第２のハーフカット８２を利用して、セパレータシート７２の部分７２ａ，７２ｂ、粘着層７３、第１のプラスチックフィルム７４の対応部分を矢印Ｘ方向に開くことができる。
【００６６】
そして、この状態で、台紙１０の裏面の自署領域３０は露出されるので、この露出した台紙１０の裏面の自署領域３０に隠蔽したい臓器提供の可否等の個人情報５０を、図６（Ｃ）に示すように自署する。
【００６７】
次に、図６（Ｃ）に示すように、セパレータシート７２の部分７２ａを剥いで粘着層７３を露出させ、セパレータシート７２の部分７２ｂ、粘着層７３、第１のプラスチックフィルム７４の対応部分を矢印Ｙ方向に閉じる。
【００６８】
ここで、第１のプラスチックフィルム７４は、図６（Ｄ）に示すように、セパレータシート７２の部分７２ａに対応する粘着層７３の部分で台紙１０に接着される。
【００６９】
これにより、台紙１０の裏面の自署領域３０に自署された個人情報５０の改ざんはできなくなり、また、台紙１０の裏面の自署領域３０に自署された個人情報５０は、セパレータシート７２の部分７２ｂにより隠蔽されるので、この個人情報５０が第３者に見られることを確実に防止することができる。
【００７０】
なお、この状態で、上記個人情報５０が第３者に見られるのを、さらに確実に防止するために、セパレータシート７２の少なくとも上記自署領域３０に対応する部分にランダムな形状の配列、所定形状の繰り返し配列の少なくとも１つを含むカモフラージュ印刷を予め施すように構成してもよい。
【００７１】
なお、本発明は上述の実施形態に限定されるものではなく、本発明の技術的思想の範囲内であれば、当業者の通常の創作能力によって多くの変形が可能である。
【符号の説明】
【００７２】
１０…台紙
２０…カード形成用積層シート
２０ａ…カード部
２１…カード表面シート
２２…第１のセパレータシート
２３…第１の粘着層
２４…第１のプラスチックフィルム
２５…擬似接着部
２６…第２のプラスチックフィルム
２７…第２の粘着層
２８…第２のセパレータシート
３０…自署領域
４１…第１のハーフカット
４２…第２のハーフカット
４３…第３のハーフカット
５０…個人情報
７０…カード形成用積層シート
７０ａ…カード部
７２…セパレータシート
７３…粘着層
７４…第１のプラスチックフィルム
７５…擬似接着部
７６…第２のプラスチックフィルム
７７…上質紙
８１…第１のハーフカット
８２…第２のハーフカット
８３…第３のハーフカット
９０…第４のハーフカット
【図１】
0005850559.tif 000002
【図２】
0005850559.tif 000003
【図３】
0005850559.tif 000004
【図４】
0005850559.tif 000005
【図５】
0005850559.tif 000006
【図６】
0005850559.tif 000007